(57)【要約】【課題】ユーザが操作入力を行う際の誤入力を防止することができる操作入力装置、プログラム及び操作入力方法を提供する。【解決手段】異なる複数の位置において入力操作が可能な入力操作部と、入力操作部を備えた装置本体の姿勢を検出する検出手段（Ｓ１０９）と、入力操作部に対する第１の入力操作が行われた際、当該第１の入力操作が行われた位置及び検出された姿勢に基づいて、入力操作者の意図を反映した入力操作が行える位置となるように、第１の入力操作に引き続いて入力操作が行われる第１の入力操作に関連する第２の入力操作を行う位置を導出する導出手段（Ｓ１１３）と、第２の入力操作の位置を導出された位置に設定する設定手段と、を備えた。【選択図】図４
2013210863.tif 000002
【特許請求の範囲】
【請求項１】
異なる複数の位置において入力操作が可能な入力操作部と、
前記入力操作部を備えた装置本体の姿勢を検出する検出手段と、
前記入力操作部に対する第１の入力操作が行われた際、当該第１の入力操作が行われた位置及び前記検出手段により検出された姿勢に基づいて、入力操作者の意図を反映した入力操作が行える位置となるように、前記第１の入力操作に引き続いて入力操作が行われる前記第１の入力操作に関連する第２の入力操作を行う位置を導出する導出手段と、
第２の入力操作の位置を前記導出手段により導出された位置に設定する設定手段と、
を備えた操作入力装置。
【請求項２】
前記第２の入力操作は、前記第１の入力操作より入力された情報の確認のための入力操作である
請求項１記載の操作入力装置。
【請求項３】
前記検出手段は、前記装置本体に作用する重力から前記装置本体に対する鉛直方向を前記装置本体の姿勢として検出し、
前記導出手段は、前記第１の入力操作が行われた位置を通る鉛直方向から当該鉛直方向と交差する方向に所定距離離れた位置を前記第２の入力操作を行う位置として導出する
請求項１または２記載の操作入力装置。
【請求項４】
前記検出手段は、前記装置本体に作用する重力から前記装置本体に対する鉛直方向を前記装置本体の姿勢として検出し、
前記導出手段は、前記第１の入力操作が行われた位置を通る鉛直方向でかつ前記第１の入力操作が行われた位置より鉛直方向下方に所定距離離れた位置を前記第２の入力操作を行う位置として導出する
請求項１または２記載の操作入力装置。
【請求項５】
前記検出手段は、前記第１の入力操作が、他の入力操作が行われた後に引き続き行われた入力操作である場合、当該他の入力操作が行われた位置から前記第１の入力操作が行われた位置への移動経路をさらに検出し、
前記導出手段は、前記検出手段により検出された移動経路に基づいて予測される移動方向から所定距離離れた位置を、前記第２の入力操作の位置として導出する
請求項１から請求項４の何れか１項記載の操作入力装置。
【請求項６】
前記導出手段は、前記第１の入力操作の位置、前記検出手段により検出された姿勢、及び当該第２の入力操作に応じて実行される処理の内容に基づいて、前記第２の入力操作の位置を導出する
請求項１から請求項５の何れか１項記載の操作入力装置。
【請求項７】
前記導出手段は、前記第１の入力操作の位置、前記検出手段により検出された姿勢、及び当該第２の入力操作に用いられる領域の大きさに基づいて、前記第２の入力操作の位置を導出する
請求項１から請求項６の何れか１項記載の操作入力装置。
【請求項８】
前記導出手段は、前記第２の入力操作の位置を導出する際に複数の位置を導出可能な場合、前記第１の入力操作の位置から最も遠い位置を前記第２の入力操作の位置として導出する
請求項１から請求項７の何れか１項記載の操作入力装置。
【請求項９】
前記設定手段は、前記第２の入力操作の位置を前記導出手段により導出された位置に、前記第２の入力操作に応じて実行される処理に応じて前記第２の入力操作に用いられる領域の大きさを設定する
請求項１から請求項８の何れか１項記載の操作入力装置。
【請求項１０】
前記検出手段は、前記装置本体の移動方向をさらに検出し、
前記導出手段は、前記第１の入力操作の位置、前記検出手段により検出された姿勢、及び前記検出手段により検出された移動方向に基づいて、前記第２の入力操作の位置を導出する
請求項１乃至９の何れか１項記載の操作入力装置。
【請求項１１】
前記導出手段は、前記第１の入力操作が行われた位置を通る移動方向から当該移動方向と交差する方向に所定距離離れた位置を前記第２の入力操作を行う位置とする
請求項１０記載の操作入力装置。
【請求項１２】
前記入力操作部は、タッチパネル及び操作スイッチ群の少なくとも一方である
請求項１から請求項１１の何れか１項記載の操作入力装置。
【請求項１３】
前記入力操作部は、医療に関する入力操作が行われる
請求項１から請求項１２の何れか１項記載の操作入力装置。
【請求項１４】
異なる複数の位置において入力操作が可能な入力操作部と、前記入力操作部を備えた装置本体の姿勢を検出する検出手段とを備えた操作入力装置により実行されるプログラムであって、
コンピュータを、
前記入力操作部に対する第１の入力操作が行われた際、当該第１の入力操作が行われた位置及び前記検出手段により検出された姿勢に基づいて、入力操作者の意図を反映した入力操作が行える位置となるように、前記第１の入力操作に引き続いて入力操作が行われる前記第１の入力操作に関連する第２の入力操作を行う位置を導出する導出手段と、
第２の入力操作の位置を前記導出手段により導出された位置に設定する設定手段と、
として機能させるためのプログラム。
【請求項１５】
異なる複数の位置において入力操作が可能な入力操作部と、前記入力操作部を備えた装置本体の姿勢を検出する検出する検出手段とを備えた操作入力装置による操作入力方法であって、
前記入力操作部に対する第１の入力操作が行われた際、当該第１の入力操作が行われた位置及び前記検出手段により検出された姿勢に基づいて、入力操作者の意図を反映した入力操作が行える位置となるように、前記第１の入力操作に引き続いて入力操作が行われる前記第１の入力操作に関連する第２の入力操作を行う位置を導出する導出ステップと、
第２の入力操作の位置を前記導出ステップにより導出した位置に設定する設定ステップと、
を行う操作入力方法。
【発明の詳細な説明】
【技術分野】
【０００１】
本発明は、操作入力装置、プログラム及び操作入力方法に係り、特に、表示画面への接触を検知して入力操作を行う操作入力装置、操作入力装置により実行されるプログラム及び表示画面への接触を検知して入力操作を行う操作入力方法に関する。
【背景技術】
【０００２】
近年、表示機能及び操作入力機能の双方を兼ね揃えたタッチパネルを搭載している携帯端末装置が広く普及している。このような携帯端末装置では、ユーザがタッチパネルに表示されたボタン等を指で接触する等の簡単な操作で情報の入力を行うことができる。
【０００３】
しかしながら、表示画面を指で接触するだけというような簡易な操作であるがために、ユーザが不注意で表示画面に表示されたボタン等を指で触れてしまった場合に、ユーザの意図に反した入力がされてしまう可能性があった。
【０００４】
この問題を解決するために、特許文献１では、タッチパネルの第１の選択画像が選択された際に、一定時間経過してから、第１の選択画像とは異なる位置に確認のための第２の選択画像を表示させる携帯端末が開示されている。この携帯端末によると、第２の選択画像を選択する際のユーザの操作意識を高めることができる。
【先行技術文献】
【特許文献】
【０００５】
【特許文献１】特開２０１１−１９１９２７号公報
【発明の概要】
【発明が解決しようとする課題】
【０００６】
携帯端末装置の高機能化が進むにつれて、家庭や職場や公共施設等の様々な場所で携帯端末装置が使用されるようになってきた。例えば、医療現場において放射線撮影を制御する際にユーザである医療従事者が携帯端末を操作することでコンソールを遠隔操作することが考えられる。そのような状況で医療従事者が携帯端末を保持しながら他の作業を行っている場合等に、携帯端末装置を手の中で滑らせてしまうことが想定される。
【０００７】
特許文献１に開示されている技術では、第１の選択画像の位置とは異なる位置に第２の選択画像を表示するが、第２の選択画像の表示位置によっては、ユーザが携帯端末装置を手の中で滑らせてしまった場合等に、表示画面上をスライドした指が第２の選択画像の表示位置に触れてしまうことで、ユーザの意図していない操作入力が行われてしまう可能性がある、という問題点があった。
【０００８】
本発明は上記課題に鑑みてなされたものであり、ユーザが操作入力を行う際の誤入力を防止することができる操作入力装置、プログラム及び操作入力方法を提供することを目的とする。
【課題を解決するための手段】
【０００９】
上記目的を達成するために、本発明に係る操作入力装置は、異なる複数の位置において入力操作が可能な入力操作部と、前記入力操作部を備えた装置本体の姿勢を検出する検出手段と、前記入力操作部に対する第１の入力操作が行われた際、当該第１の入力操作が行われた位置及び前記検出手段により検出された姿勢に基づいて、入力操作者の意図を反映した入力操作が行える位置となるように、前記第１の入力操作に引き続いて入力操作が行われる前記第１の入力操作に関連する第２の入力操作を行う位置を導出する導出手段と、第２の入力操作の位置を前記導出手段により導出された位置に設定する設定手段と、を備えている。
【００１０】
請求項１に記載の入力装置によれば、入力操作部により、異なる複数の位置において入力操作が可能であり、検出手段により、前記入力操作部を備えた装置本体の姿勢が検出される。
【００１１】
ここで、本発明では、導出手段により、前記入力操作部に対する第１の入力操作が行われた際、当該第１の入力操作が行われた位置及び前記検出手段により検出された姿勢に基づいて、入力操作者の意図を反映した入力操作が行える位置となるように、前記第１の入力操作に引き続いて入力操作が行われる前記第１の入力操作に関連する第２の入力操作を行う位置が導出され、設定手段により、第２の入力操作の位置が前記導出手段により導出された位置に設定される。
【００１２】
このように、第２の入力操作の際に入力操作者（ユーザ）の意図しない入力が回避される位置になるように、携帯端末装置の姿勢に基づいて第２の入力操作の位置が導出される結果、入力操作者が操作入力を行う際の誤入力を防止することができる。
【００１３】
また、本発明に係る操作入力装置において、請求項２に記載したように、前記第２の入力操作は、前記第１の入力操作より入力された情報の確認のための入力操作であるようにしても良い。これにより、入力操作者が確認のための入力操作を行う際の誤入力を防止することができる。
【００１４】
また、本発明に係る操作入力装置において、請求項３に記載したように、前記検出手段は、前記装置本体に作用する重力から前記装置本体に対する鉛直方向を前記装置本体の姿勢として検出し、前記導出手段は、前記第１の入力操作が行われた位置を通る鉛直方向から当該鉛直方向と交差する方向に所定距離離れた位置を前記第２の入力操作を行う位置として導出するようにしても良い。これにより、入力操作者の指が滑る等により操作入力装置が落下することによる誤入力を防止することができる。
【００１５】
また、本発明に係る操作入力装置において、請求項４に記載したように、前記検出手段は、前記装置本体に作用する重力から前記装置本体に対する鉛直方向を前記装置本体の姿勢として検出し、前記導出手段は、前記第１の入力操作が行われた位置を通る鉛直方向でかつ前記第１の入力操作が行われた位置より鉛直方向下方に所定距離離れた位置を前記第２の入力操作を行う位置として導出するようにしても良い。これにより、入力操作者の指が滑る等により操作入力装置が落下することによる誤入力をさらに防止することができる。
【００１６】
また、本発明に係る操作入力装置において、請求項５に記載したように、前記検出手段は、前記第１の入力操作が、他の入力操作が行われた後に引き続き行われた入力操作である場合、当該他の入力操作が行われた位置から前記第１の入力操作が行われた位置への移動経路をさらに検出し、前記導出手段は、前記検出手段により検出された移動経路に基づいて予測される移動方向から所定距離離れた位置を、前記第２の入力操作の位置として導出するようにしても良い。これにより、入力操作者の入力操作部を操作している際に誤入力を防止することができる。
【００１７】
また、本発明に係る操作入力装置において、請求項６に記載したように、前記導出手段は、前記第１の入力操作の位置、前記検出手段により検出された姿勢、及び当該第２の入力操作に応じて実行される処理の内容に基づいて、前記第２の入力操作の位置を導出するようにしても良い。これにより、処理の内容に応じて効果的に誤入力を防止することができる。
【００１８】
また、本発明に係る操作入力装置において、請求項７に記載したように、前記導出手段は、前記第１の入力操作の位置、前記検出手段により検出された姿勢、及び当該第２の入力操作に用いられる領域の大きさに基づいて、前記第２の入力操作の位置を導出するようにしても良い。これにより、第２の入力操作に用いられる領域の大きさによらずに誤入力を防止することができる。
【００１９】
また、本発明に係る操作入力装置において、請求項８に記載したように、前記導出手段は、前記第２の入力操作の位置を導出する際に複数の位置を導出可能な場合、前記第１の入力操作の位置から最も遠い位置を前記第２の入力操作の位置として導出するようにしても良い。これにより、入力操作者が操作入力を行う際の誤入力を効果的に防止することができる。
【００２０】
また、本発明に係る操作入力装置において、請求項９に記載したように、前記設定手段は、前記第２の入力操作の位置を前記導出手段により導出された位置に、前記第２の入力操作に応じて実行される処理に応じて前記第２の入力操作に用いられる領域の大きさを設定するようにしても良い。これにより、入力操作者が操作入力を行う際に、第２の入力操作に応じて実行される処理に基づいて必要に応じて入力操作者に注意を喚起し、誤入力を効果的に防止することができる。
【００２１】
また、本発明に係る操作入力装置において、請求項１０に記載したように、前記検出手段は、前記装置本体の移動方向をさらに検出し、前記導出手段は、前記第１の入力操作の位置、前記検出手段により検出された姿勢、及び前記検出手段により検出された移動方向に基づいて、前記第２の入力操作の位置を導出するようにしても良い。これにより、入力操作者が操作入力装置を保持して動かしている場合等に、操作入力装置が移動している場合であっても誤入力を防止することができる。
【００２２】
また、本発明に係る操作入力装置において、請求項１１に記載したように、前記導出手段は、前記第１の入力操作が行われた位置を通る移動方向から当該移動方向と交差する方向に所定距離離れた位置を前記第２の入力操作を行う位置とするようにしても良い。これにより、操作入力装置が移動している場合であっても誤入力を防止することができる。
【００２３】
また、本発明に係る操作入力装置において、請求項１２に記載したように、前記入力操作部は、タッチパネル及び操作スイッチ群の少なくとも一方であるようにしても良い。
【００２４】
また、本発明に係る操作入力装置において、請求項１３に記載したように、前記入力操作部は、医療に関する入力操作が行われるようにしても良い。
【００２５】
一方、上記目的を達成するために、請求項１４に記載のプログラムは、異なる複数の位置において入力操作が可能な入力操作部と、前記入力操作部を備えた装置本体の姿勢を検出する検出手段とを備えた操作入力装置により実行されるプログラムであって、コンピュータを、前記入力操作部に対する第１の入力操作が行われた際、当該第１の入力操作が行われた位置及び前記検出手段により検出された姿勢に基づいて、入力操作者の意図を反映した入力操作が行える位置となるように、前記第１の入力操作に引き続いて入力操作が行われる前記第１の入力操作に関連する第２の入力操作を行う位置を導出する導出手段と、第２の入力操作の位置を前記導出手段により導出された位置に設定する設定手段と、として機能させるためのプログラムである。
【００２６】
従って、請求項１４に記載のプログラムによれば、コンピュータを請求項１に記載の発明と同様に作用させることができるので、請求項１に記載の発明と同様に、入力操作者が操作入力を行う際の誤入力を防止することができる。
【００２７】
また、上記目的を達成するために、請求項１５に記載の操作入力方法は、異なる複数の位置において入力操作が可能な入力操作部と、前記入力操作部を備えた装置本体の姿勢を検出する検出する検出手段とを備えた操作入力装置による操作入力方法であって、前記入力操作部に対する第１の入力操作が行われた際、当該第１の入力操作が行われた位置及び前記検出手段により検出された姿勢に基づいて、入力操作者の意図を反映した入力操作が行える位置となるように、前記第１の入力操作に引き続いて入力操作が行われる前記第１の入力操作に関連する第２の入力操作を行う位置を導出する導出ステップと、第２の入力操作の位置を前記導出ステップにより導出した位置に設定する設定ステップと、を行う。
【００２８】
従って、請求項１５に記載の操作入力方法によれば、請求項１に記載の発明と同様に作用することができるので、請求項１に記載の発明と同様に、入力操作者が操作入力を行う際の誤入力を防止することができる。
【発明の効果】
【００２９】
本発明によれば、ユーザが操作入力を行う際の誤入力を防止することができる、という効果を奏する。
【図面の簡単な説明】
【００３０】
【図１】実施形態に係る放射線画像撮影システムの構成を示すブロック図である。
【図２】実施形態に係る携帯端末装置の外観を示す斜視図である。
【図３】実施形態に係る携帯端末装置の電気系統の構成を示すブロック図である。
【図４】実施形態に係る撮影処理プログラムの処理の流れを示すフローチャートである。
【図５】実施形態に係る撮影処理プログラムの処理の流れを説明するための画面遷移図である。
【図６】実施形態に係る確認ダイアログの表示位置の一例を示す画面図である。
【図７】実施形態に係る確認ダイアログの表示位置の別例を示す画面図である。
【図８】実施形態に係る確認ダイアログの表示位置の別例を示す画面図である。
【図９】実施形態に係る確認ダイアログの表示位置の別例を示す画面図である。
【図１０】実施形態に係る確認ダイアログの表示位置の別例を示す画面図である。
【図１１】実施形態に係る確認ダイアログの表示位置の別例を示す画面図である。
【図１２】実施形態に係る確認ダイアログの表示位置の別例を示す画面図である。
【図１３】実施形態に係る確認ダイアログの表示位置の別例を示す画面図である。
【図１４】実施形態に係る確認ダイアログの表示位置の別例を示す画面遷移図である。
【発明を実施するための形態】
【００３１】
以下、図面を参照して、本発明を実施するための形態について詳細に説明する。なお、本実施形態では、携帯端末装置を用いて放射線画像の撮影を行う放射線画像撮影システムに適用した場合について例に挙げて説明する。
【００３２】
図１は、本実施形態に係る放射線画像撮影システム１の概略構成を示す図である。図１に示すように、本実施の形態に係る放射線画像撮影システム１は、放射線（本実施の形態では、Ｘ線）画像を撮影するための撮影室（以下、「Ｘ線室」という。）に設置されており、撮影制御装置（以下、「コンソール」という。）２、放射線発生装置３、放射線画像撮影装置（以下、「電子カセッテ」という。）４、及び携帯端末装置７０が備えられている。
【００３３】
コンソール２は、放射線画像撮影システム１を統括的に制御する制御装置であり、医療従事者によって撮影オーダ情報が入力されると、この撮影オーダ情報及び携帯端末装置７０を介した指示に基づいて、放射線画像の撮影制御を行う。コンソール２は、通信ケーブル５を介して電子カセッテ４と有線接続され電子カセッテ４と有線通信が可能となっており、制御信号を伝送することにより電子カセッテ４に対して様々な制御を行う。また、コンソール２は、通信ケーブル６を介して放射線発生装置３と接続されており、放射線を発生するタイミングを制御する。
【００３４】
コンソール２の制御に基づいたタイミングで、放射線発生装置３は、放射線を患者Ｋに照射する。放射線発生装置３から照射された放射線は、患者Ｋを透過して電子カセッテ４に照射される。電子カセッテ４は、照射された放射線から放射線画像を示す画像データを生成する。生成された画像データは、有線通信または無線通信によりコンソール２に送信される。
【００３５】
本実施形態に係る携帯端末装置７０としては、例えば、携帯電話機やスマートフォン、ＰＤＡ（Personal Digital Assistants）が挙げられる。以下、スマートフォンを例に挙げ、図面を参照しつつ、詳細に説明する。
【００３６】
図２は、本実施形態に係る携帯端末装置７０の外観を示す図である。図２に示すように、携帯端末装置７０は、平板状の筐体７２を有し、筐体７２の一方の面に表示部としての表示パネル７４Ａと、入力部としての操作パネル７４Ｂとが一体となった表示入力部７４を備えている。また、係る筐体７２は、スピーカ７６と、マイクロホン７８と、操作部８０と、カメラ部８２とを備えている。なお、筐体７２の構成はこれに限定されず、例えば、表示部と入力部とが独立した構成を採用したり、折り畳み構造やスライド機構を有する構成を採用したりすることもできる。
【００３７】
図３は、本実施形態に係る携帯端末装置７０の構成を示すブロック図である。図３に示すように、スマートフォンの主たる構成要素として、無線通信部８４と、表示入力部７４と、通話部８６と、操作部８０と、カメラ部８２と、記憶部８８と、外部入出力部９０と、ＧＰＳ（Global Positioning System）受信部９２と、モーションセンサ部９４と、電源部９６と、主制御部９８とを備える。また、携帯端末装置７０の主たる機能として、基地局装置ＢＳと移動通信網ＮＷとを介した移動無線通信を行う無線通信機能を備える。
【００３８】
無線通信部８４は、主制御部９８の指示にしたがって、移動通信網ＮＷに収容された基地局装置ＢＳに対し無線通信を行うものである。係る無線通信を使用して、音声データ、画像データ等の各種ファイルデータ、電子メールデータなどの送受信や、Ｗｅｂデータやストリーミングデータなどの受信を行う。
【００３９】
表示入力部７４は、主制御部９８の制御により、画像（静止画像および動画像）や文字情報などを表示して視覚的にユーザに情報を伝達するとともに、表示した情報に対するユーザ操作を検出する、いわゆるタッチパネルであって、表示パネル７４Ａと、操作パネル７４Ｂとを備える。
【００４０】
表示パネル７４Ａは、ＬＣＤ（Liquid Crystal Display）、ＯＥＬＤ（Organic Electro-Luminescence Display）などを表示デバイスとして用いたものである。操作パネル７４Ｂは、表示パネル７４Ａの表示面上に表示される画像を視認可能に載置され、ユーザの指や尖筆によって操作される一又は複数の座標を検出するデバイスである。係るデバイスをユーザの指や尖筆によって操作すると、操作に起因して発生する検出信号を主制御部９８に出力する。次いで、主制御部９８は、受信した検出信号に基づいて、表示パネル７４Ａ上の操作位置（座標）を検出する。
【００４１】
図２に示すように、本発明の撮影装置の一実施形態として例示している携帯端末装置７０の表示パネル７４Ａと操作パネル７４Ｂとは一体となって表示入力部７４を構成しているが、操作パネル７４Ｂが表示パネル７４Ａを完全に覆うような配置となっている。係る配置を採用した場合、操作パネル７４Ｂは、表示パネル７４Ａ外の領域についても、ユーザ操作を検出する機能を備えてもよい。換言すると、操作パネル７４Ｂは、表示パネル７４Ａに重なる重畳部分についての検出領域（以下、表示領域と称する）と、それ以外の表示パネル７４Ａに重ならない外縁部分についての検出領域（以下、非表示領域と称する）とを備えていてもよい。
【００４２】
なお、表示領域の大きさと表示パネル７４Ａの大きさとを完全に一致させても良いが、両者を必ずしも一致させる必要は無い。また、操作パネル７４Ｂが、外縁部分と、それ以外の内側部分の２つの感応領域を備えていてもよい。更に、外縁部分の幅は、筐体７２の大きさなどに応じて適宜設計されるものである。更にまた、操作パネル７４Ｂで採用される位置検出方式としては、マトリクススイッチ方式、抵抗膜方式、表面弾性波方式、赤外線方式、電磁誘導方式、静電容量方式などが挙げられ、いずれの方式を採用することもできる。
【００４３】
通話部８６は、スピーカ７６やマイクロホン７８を備え、マイクロホン７８を通じて入力されたユーザの音声を主制御部９８にて処理可能な音声データに変換して主制御部９８に出力したり、無線通信部８４あるいは外部入出力部９０により受信された音声データを復号したりしてスピーカ７６から出力するものである。また、図２に示すように、例えば、スピーカ７６を表示入力部７４が設けられた面と同じ面に搭載し、マイクロホン７８を筐体７２の側面に搭載することができる。
【００４４】
操作部８０は、キースイッチなどを用いたハードウェアキーであって、ユーザからの指示を受け付けるものである。例えば、図２に示すように、操作部８０は、携帯端末装置７０の筐体７２の側面に搭載され、指などで押下されるとオンとなり、指を離すとバネなどの復元力によってオフ状態となる押しボタン式のスイッチである。
【００４５】
記憶部８８は、主制御部９８の制御プログラムや制御データ、アプリケーションソフトウェア、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。また、記憶部８８は、スマートフォン内蔵の内部記憶部８８Ａと着脱自在な外部メモリスロットを有する外部記憶部８８Ｂにより構成される。なお、記憶部８８を構成するそれぞれの内部記憶部８８Ａと外部記憶部８８Ｂは、フラッシュメモリタイプ（flash memory type）、ハードディスクタイプ（hard disk type）、マルチメディアカードマイクロタイプ（multimedia card micro type）、カードタイプのメモリ（例えば、ＭｉｃｒｏＳＤ（登録商標）メモリ等）、ＲＡＭ（Random Access Memory）、ＲＯＭ（Read Only Memory）などの格納媒体を用いて実現される。
【００４６】
外部入出力部９０は、携帯端末装置７０に連結される全ての外部機器とのインターフェースの役割を果たすものであり、他の外部機器に通信等（例えば、ユニバーサルシリアルバス（ＵＳＢ）、ＩＥＥＥ１３９４など）又はネットワーク（例えば、インターネット、無線ＬＡＮ、ブルートゥース（Bluetooth）（登録商標）、ＲＦＩＤ（Radio Frequency Identification）、赤外線通信（Infrared Data Association：ＩｒＤＡ）（登録商標）、ＵＷＢ（Ultra Wideband）（登録商標）、ジグビー（ZigBee）（登録商標）など）により直接的又は間接的に接続するためのものである。
【００４７】
携帯端末装置７０に連結される外部機器としては、例えば、有／無線ヘッドセット、有／無線外部充電器、有／無線データポート、カードソケットを介して接続されるメモリカード（Memory card）やＳＩＭ（Subscriber Identity Module Card）／ＵＩＭ（User Identity Module Card）カード、オーディオ・ビデオＩ／Ｏ（Input/Output）端子を介して接続される外部オーディオ・ビデオ機器、無線接続される外部オーディオ・ビデオ機器、有／無線接続されるスマートフォン、有／無線接続されるパーソナルコンピュータ、有／無線接続されるＰＤＡ、有／無線接続されるパーソナルコンピュータ、イヤホンなどがある。外部入出力部は、このような外部機器から伝送を受けたデータを携帯端末装置７０の内部の各構成要素に伝達することや、携帯端末装置７０の内部のデータが外部機器に伝送されるようにすることができる。
【００４８】
ＧＰＳ受信部９２は、主制御部９８の指示にしたがって、ＧＰＳ衛星ＳＴ１〜ＳＴｎから送信されるＧＰＳ信号を受信し、受信した複数のＧＰＳ信号に基づく測位演算処理を実行し、当該携帯端末装置７０の緯度、経度、高度からなる位置を検出する。ＧＰＳ受信部９２は、無線通信部８４や外部入出力部９０（例えば、無線ＬＡＮ）から位置情報を取得できる時には、その位置情報を用いて位置を検出することもできる。
【００４９】
モーションセンサ部９４は、例えば、３軸の加速度センサなどを備え、主制御部９８の指示にしたがって、携帯端末装置７０の物理的な動きを検出する。携帯端末装置７０の物理的な動きを検出することにより、携帯端末装置７０が縦向き（表示パネル７４Ａの長軸方向が鉛直方向に略一致する向き）になっているか横向き（表示パネル７４Ａの短軸方向が鉛直方向に略一致する向き）になっているか等の姿勢、重力方向（鉛直方向）及び携帯端末装置７０の移動方向が検出される。モーションセンサ部９４は、携帯端末装置７０の重力方向及び移動方向（移動速度や移動量を含む。）を一定時間毎（例えば０．１秒毎）に導出して主制御部９８に出力する。
【００５０】
電源部９６は、主制御部９８の指示にしたがって、携帯端末装置７０の各部に、バッテリ（図示しない）に蓄えられる電力を供給するものである。
【００５１】
主制御部９８は、マイクロプロセッサを備え、記憶部８８が記憶する制御プログラムや制御データにしたがって動作し、携帯端末装置７０の各部を統括して制御するものである。また、主制御部９８は、無線通信部８４を通じて、音声通信やデータ通信を行うために、通信系の各部を制御する移動通信制御機能と、アプリケーション処理機能を備える。携帯端末装置７０は、無線通信部８４を介してコンソール２と無線接続され、コンソール２と無線通信を行う。
【００５２】
アプリケーション処理機能は、記憶部８８が記憶するアプリケーションソフトウェアにしたがって主制御部９８が動作することにより実現するものである。アプリケーション処理機能としては、例えば、外部入出力部９０を制御して対向機器とデータ通信を行う赤外線通信機能や、電子メールの送受信を行う電子メール機能、Ｗｅｂページを閲覧するＷｅｂブラウジング機能などがある。
【００５３】
また、主制御部９８は、受信データやダウンロードしたストリーミングデータなどの画像データ（静止画像や動画像のデータ）に基づいて、映像を表示入力部７４に表示する等の画像処理機能を備える。画像処理機能とは、主制御部９８が、上記画像データを復号し、係る復号結果に画像処理を施して、画像を表示入力部７４に表示する機能のことをいう。
【００５４】
更に、主制御部９８は、表示パネル７４Ａに対する表示制御と、操作部８０、操作パネル７４Ｂを通じたユーザ操作を検出する操作検出制御とを実行する。
【００５５】
表示制御の実行により、主制御部９８は、アプリケーションソフトウェアを起動するためのアイコンや、スクロールバーなどのソフトウェアキーを表示したり、あるいは電子メールを作成するためのウィンドウを表示したりする。なお、スクロールバーとは、表示パネル７４Ａの表示領域に収まりきれない大きな画像などについて、画像の表示部分を移動する指示を受け付けるためのソフトウェアキーのことをいう。
【００５６】
また、操作検出制御の実行により、主制御部９８は、操作部８０を通じたユーザ操作を検出したり、操作パネル７４Ｂを通じて、上記アイコンに対する操作や、上記ウィンドウの入力欄に対する文字列の入力を受け付けたり、あるいは、スクロールバーを通じた表示画像のスクロール要求を受け付ける。
【００５７】
更に、操作検出制御の実行により主制御部９８は、操作パネル７４Ｂに対する操作位置が、表示パネル７４Ａに重なる重畳部分（表示領域）か、それ以外の表示パネル７４Ａに重ならない外縁部分（非表示領域）かを判定し、操作パネル７４Ｂの感応領域や、ソフトウェアキーの表示位置を制御するタッチパネル制御機能を備える。
【００５８】
また、主制御部９８は、操作パネル７４Ｂに対するジェスチャ操作を検出し、検出したジェスチャ操作に応じて、予め設定された機能を実行することもできる。ジェスチャ操作とは、従来の単純なタッチ操作ではなく、指などによって軌跡を描いたり、複数の位置を同時に指定したり、あるいはこれらを組み合わせて、複数の位置から少なくとも１つについて軌跡を描く操作を意味する。
【００５９】
カメラ部８２は、ＣＭＯＳ（Complementary Metal Oxide Semiconductor）やＣＣＤ（Charge-Coupled Device）などの撮像素子を用いて電子撮影するデジタルカメラである。また、カメラ部８２は、主制御部９８の制御により、撮像によって得た画像データを例えばＪＰＥＧ（Joint Photographic coding Experts Group）などの圧縮した画像データに変換し、記憶部８８に記録したり、入出力部９０や無線通信部８４を通じて出力したりすることができる。図２に示すに携帯端末装置７０において、カメラ部８２は表示入力部７４と同じ面に搭載されているが、カメラ部８２の搭載位置はこれに限らず、表示入力部７４の背面に搭載されてもよいし、あるいは、複数のカメラ部８２が搭載されてもよい。なお、複数のカメラ部８２が搭載されている場合には、撮影に供するカメラ部８２を切り替えて単独にて撮影したり、あるいは、複数のカメラ部８２を同時に使用して撮影したりすることもできる。
【００６０】
また、カメラ部８２は携帯端末装置７０の各種機能に利用することができる。例えば、表示パネル７４Ａにカメラ部８２で取得した画像を表示することや、操作パネル７４Ｂの操作入力のひとつとして、カメラ部８２の画像を利用することができる。また、ＧＰＳ受信部９２が位置を検出する際に、カメラ部８２からの画像を参照して位置を検出することもできる。更には、カメラ部８２からの画像を参照して、３軸の加速度センサを用いずに、或いは、３軸の加速度センサと併用して、携帯端末装置７０のカメラ部８２の光軸方向を判断することや、現在の使用環境を判断することもできる。勿論、カメラ部８２からの画像をアプリケーションソフトウェア内で利用することもできる。
【００６１】
その他、静止画又は動画の画像データにＧＰＳ受信部９２により取得した位置情報、マイクロホン７８により取得した音声情報（主制御部等により、音声テキスト変換を行ってテキスト情報となっていてもよい）、モーションセンサ部９４により取得した姿勢情報等などを付加して記憶部８８に記録したり、入出力部９０や無線通信部８４を通じて出力したりすることもできる。
【００６２】
ここで、本実施形態に係る放射線画像撮影システム１において撮影処理が行われる際の処理の流れについて説明する。
【００６３】
本実施形態に係る放射線画像撮影システム１を用いて患者Ｋに対して放射線画像を撮影する際、放射線技師等の医療従事者は、病院内においてコンソール２を遠隔操作するための携帯端末装置７０を所持している。ここでは、一般Ｘ線画像撮影を行う放射線科の撮影室において、放射線技師がオーダ情報の確認及び検査開始指示を行う装置として携帯端末装置７０を用いる場面を例に挙げて説明する。
【００６４】
図４は、本実施形態に係る放射線画像撮影システム１における撮影処理の流れを示すフローチャートである。また、図５は、本実施形態に係る放射線画像撮影システム１における撮影処理の流れを説明するための画面遷移図である。当該撮影処理のプログラムは、携帯端末装置７０の記録媒体である内部記憶部８８Ａの所定領域に予め記憶されている。当該撮影処理のプログラムは、携帯端末装置７０の電源がオンになっている間、一定時間経過毎に実行されている。
【００６５】
放射線画像撮影を行う際に、前段階として、病院内に設置されている放射線科情報システム（図示省略）に撮影オーダ情報が登録される。撮影オーダ情報は、放射線画像の撮影を行う患者の患者情報と撮影メニューとを含んだ情報である。放射線画像撮影は、この撮影オーダ情報に基づいて行われる。
【００６６】
放射線科情報システムは、撮影オーダ情報が登録されると、登録された撮影オーダ情報をコンソール２に対して送信する。また、コンソール２は、撮影オーダ情報を受信すると、受信した撮影オーダ情報を放射線技師が所持する携帯端末装置７０に対して送信する。なお、撮影オーダ情報を送信する代わりに、放射線画像撮影を指示する指示情報等を携帯端末装置７０に送信しても良い。この場合には、携帯端末装置７０からコンソール２に撮影オーダ情報の要求指示を送信して、コンソール２から撮影オーダ情報を受信する。
【００６７】
まず、ステップＳ１０１において、主制御部９８は、撮影オーダ情報（あるいは指示情報）を受信するまで待機する。ステップＳ１０１において撮影オーダ情報を受信した場合、ステップＳ１０３において、主制御部９８は、表示パネル７４Ａに、撮影指示があった旨を示す情報、及び撮影オーダ情報の撮影メニューに含まれる検査リスト等を表示させる。表示パネル７４Ａには、一例として図５（Ａ）に示すように、表示パネル７４Ａに、撮影を指示する旨の情報１１、患者ＩＤの情報１２、患者名の情報１３、検査リストに含まれる検査項目を選択するための複数の検査ボタン１４が表示される。
【００６８】
放射線技師は、表示された各検査ボタン１４を確認し、第１の入力操作として、操作パネル７４Ｂにおいて検査ボタン１４のうちの何れかの検査ボタン１４が表示されている位置を触れることで、所望の検査を選択する。
【００６９】
そこで、ステップＳ１０５において、主制御部９８は、放射線技師により検査が選択されるまで待機する。ステップＳ１０５において検査が選択されると、ステップＳ１０７において、主制御部９８は、操作パネル７４Ｂにおける接触位置を検知し、検知した接触位置に関連付けられた情報を入力する。例えば放射線技師が検査Ｂを選択した場合には、一例として図５（Ｂ）に示すように、検査ボタン１４のうちの検査Ｂが強調表示される。
【００７０】
ステップＳ１０９において、主制御部９８は、モーションセンサ部９４から、携帯端末装置７０に加わっている重力方向Ｇを取得する。携帯端末装置７０に加わっている重力方向Ｇにより、携帯端末装置７０の設置方向（あるいは放射線技師による保持方向、以下、「姿勢」ともいう。）がわかる。
【００７１】
また、ステップＳ１１１において、主制御部９８は、モーションセンサ部９４から携帯端末装置７０の移動方向Ｍ（移動速度及び移動量を含む。）を取得する。放射線技師が携帯端末装置７０を保持している場合には、放射線技師の操作状況によって携帯端末装置７０が移動している場合があるため、手ぶれを考慮して、携帯端末装置７０が所定量以上移動している場合には移動していると判定する。なお、携帯端末装置７０が移動していない場合には、下記のステップＳ１１３において確認ダイアログ１５の表示位置を導出する際に移動方向Ｍが考慮されず、重力方向Ｇのみが考慮される。
【００７２】
ステップＳ１１３において、主制御部９８は、確認ダイアログ１５の表示位置を導出する。確認ダイアログ１５は、ステップＳ１０５において選択された処理を実行するか否かについて確認して再入力を促すためのダイアログである。本実施形態に係る放射線画像撮影システム１では、放射線撮影等の重要な処理を開始する場合等には、確認ダイアログを表示させて本当に処理を実行するのか否かを再度確認すると共に、確認ダイアログの表示位置を、前回の入力操作（ステップＳ１０５の検査を選択するための入力操作）における接触位置とは異なる位置に表示させる。この際、確認ダイアログ１５の表示位置は、接触位置１９を通る重力方向Ｇから当該重力方向Ｇと交差する方向に所定距離離れた位置、かつ接触位置１９を通る移動方向Ｍから当該移動方向Ｍと交差する方向に所定距離離れた位置とする。これにより、放射線技師が操作入力を意図せずに操作パネル７４Ｂに指を接触させていること等により放射線技師により意図されない処理が実行されてしまうことが防止される。  
【００７３】
ステップＳ１１５において、主制御部９８は、表示パネル７４Ａにて、ステップＳ１１３において導出した表示位置に確認ダイアログ１５を表示させる。一例として図５（Ｃ）に示すように、例えば放射線技師により検査Ｂが選択され、ステップＳ１１１において携帯端末装置７０が移動していないと判定された場合には、携帯端末装置７０の姿勢（すなわち重力方向Ｇ）を考慮するが移動方向Ｍを考慮せずに、検査リストにおいて正面視右上に表示されている「検査Ｂ」の表示位置に対して、表示パネル７４Ａの面内において重力方向Ｇに対する垂直方向の位置を異ならせた位置（「検査Ｂ」の表示位置の位置より正面視左方向に移動させた位置）に確認ダイアログ１５が表示される。この際、確認ダイアログ１５の表示位置は、上記のようにして導出される位置のうち、接触位置１９に対して最も遠い位置とすると良い。
【００７４】
確認ダイアログ１５は、処理実行の指示を入力するための「はい」ボタン１６、及び処理中止の指示を入力するための「いいえ」ボタン１７を有している。医療従事者は、第２の入力操作として、操作パネル７４Ｂを指で触れることにより、確認ダイアログ１５のうちの「はい」ボタン１６または「いいえ」ボタン１７を選択する。
【００７５】
ステップＳ１１７において、主制御部９８は、ステップＳ１１５において表示された確認ダイアログ１５から「はい」ボタン１６または「いいえ」ボタン１７の確認ボタンが選択されるまで待機する。ステップＳ１１７において確認ボタンが選択されると、ステップＳ１１９において、主制御部９８は、ステップＳ１１５において選択された確認ボタンに対応する処理を実行する。一例として図５（Ｄ）に示すように、「はい」ボタン１６が選択された場合は、検査の処理が実行され、一例として図５（Ｅ）に示すように、表示パネル７４Ａには検査中である旨を示す情報１８が表示される。そして、放射線技師が患者Ｋのポジショニング等の作業を行った上で、放射線発生装置３により放射線ビームを発生させて患者Ｋの患部を透過させて電子カセッテ４により放射線画像の撮影を行って、検査を終了する。
【００７６】
図６（Ａ）乃至（Ｃ）は、本実施形態に係る放射線画像撮影システム１の確認ダイアログ１５の表示位置の一例を示す画面図である。本実施形態において、図６（Ａ）に示すように、ステップＳ１１７において「検査Ａ」が選択された場合には、表示パネル７４Ａの面内において重力方向Ｇに対する垂直方向の位置を異ならせた位置（「検査Ａ」の表示位置の位置より正面視右方向に移動させた位置）に確認ダイアログ１５が表示される。図６（Ｂ）に示すように、ステップＳ１１７において「検査Ｃ」が選択された場合には、表示パネル７４Ａの面内において接触位置１９を通る重力方向Ｇから当該重力方向Ｇと交差する方向に所定距離離れた位置（「検査Ｃ」の表示位置の位置より正面視右方向に移動させた位置）に確認ダイアログ１５が表示される。図６（Ｃ）に示すように、ステップＳ１１７において「検査Ｄ」が選択された場合には、同様に表示パネル７４Ａの面内において接触位置１９を通る重力方向Ｇから当該重力方向Ｇと交差する方向に所定距離離れた位置（「検査Ｄ」の表示位置の位置より正面視左方向に移動させた位置）に確認ダイアログ１５が表示される。上述したように、確認ダイアログ１５の表示位置は、接触位置１９に対して最も遠い位置とする。
【００７７】
なお、図６（Ａ）乃至（Ｃ）において、表示パネル７４Ａの面内において接触位置１９を通る重力方向Ｇから当該重力方向Ｇと交差する方向に所定距離離れた位置で、かつ、表示パネル７４Ａにおいて放射線技師の指が最も届きにくい位置（例えば、携帯端末装置７０が片手で保持するタイプの携帯端末装置であった場合、放射線技師は、筐体７２の下端部（鉛直方向下方の端部）を保持する可能性が高いため、正面視上端部（鉛直方向上方の端部））に、確認ダイアログ１５を表示させるようにしても良い。
【００７８】
図７は、本実施形態に係る放射線画像撮影システム１の確認ダイアログ１５の表示位置の別例を示す画面図である。ステップＳ１１１において携帯端末装置７０が移動していると判定された場合には、図７に示すように、表示パネル７４Ａの面内において接触位置１９を通る重力方向Ｇから当該重力方向Ｇと交差する方向に所定距離離れた位置で、かつ表示パネル７４Ａの面内において接触位置１９を通る移動方向Ｍから当該移動方向Ｍと交差する方向に所定距離離れた位置に確認ダイアログ１５が表示される。この際、表示パネル７４Ａの面内において接触位置１９を通る重力方向Ｇから当該重力方向Ｇと交差する方向に予め定められた距離α１、表示パネル７４Ａの面内において接触位置１９を通る移動方向Ｍ（重力方向Ｇと移動方向Ｍが同一の場合には重力方向Ｇに対して垂直な方向）から当該移動方向Ｍと交差する方向に予め定められた距離α２だけ平行移動させた位置に確認ダイアログ１５が表示されるようにしても良い。
【００７９】
図８は、本実施形態に係る放射線画像撮影システム１の確認ダイアログ１５の表示位置の別例を示す画面図である。放射線技師が重要な場面において確認ダイアログ１５を選択する際に、指が滑る等の誤操作を防止するために、図８に示すように、確認ダイアログ１５に含まれる「はい」ボタン１６のみ、または「はい」ボタン１６及び「いいえ」ボタン１７を、通常表示される場合と比較して小さく表示されるようにしても良い。これにより、「はい」ボタン１６を選択し難くなるため、放射線技師が誤って「はい」ボタン１６を選択しまう可能性を小さくすることができる。
【００８０】
図９（Ａ）及び（Ｂ）は、本実施形態に係る放射線画像撮影システム１の確認ダイアログ１５の表示位置の別例を示す画面図である。携帯端末装置７０に加わる重力方向Ｇ及び携帯端末装置７０の移動方向Ｍが同一方向であった場合には、図９（Ａ）及び（Ｂ）に示すように、接触位置１９を、重力方向Ｇ（移動方向Ｍ）に対して垂直方向に移動させた位置に、確認ダイアログ１５が表示されるようにしても良い。これにより、放射線技師の手の中で携帯端末装置７０が滑り落ちている状態であっても、確認ダイアログ１５の「はい」ボタン１６が誤って選択されることを防止できる。
【００８１】
図１０は、本実施形態に係る放射線画像撮影システム１の確認ダイアログ１５の表示位置の別例を示す画面図である。放射線技師の手の中で携帯端末装置７０が滑り落ちている状態を想定すると、携帯端末装置７０が重力方向Ｇに滑り落ちるのに対して放射線技師の指は表示パネル７４Ａ上において重力方向Ｇとは反対方向に相対的にスライドする。よって、図１０に示すように、接触位置１９よりも、重力方向Ｇ（移動方向Ｍ）の側に移動させた位置に、確認ダイアログ１５が表示されるようにしても良い。これにより、放射線技師の手の中で携帯端末装置７０が滑り落ちている状態であっても、確認ダイアログ１５の「はい」ボタン１６が誤って選択されることを防止できる。
【００８２】
図１１（Ａ）及び（Ｂ）は、本実施形態に係る放射線画像撮影システム１の確認ダイアログ１５の表示位置の別例を示す画面図である。携帯端末装置７０において確認ダイアログ１５を表示するケースは複数考えられるが、その確認の重要度は状況によって異なっている。例えば、メールの送信に関して確認する場合には、誤って操作してしまっても訂正することが可能であり確認の重要度が比較的高くないが、確認ダイアログ１５により患者情報を確認する場合や、撮影処理の実行に関して確認する場合には、確認の重要度が大きく誤操作が許されない。そこで、処理の内容（確認の重要度）に基づいて確認ダイアログ１５の表示位置を導出しても良い。
【００８３】
例えば、確認の重要度が比較的低い場合には、図１１（Ａ）に示すように、接触位置１９に対して、重力方向Ｇにおいて距離α３だけ移動させた位置を確認ダイアログ１５の表示位置とし、確認の重要度が高い場合には、図１１（Ｂ）に示すように、接触位置１９に対して、重力方向Ｇにおいて距離α４（α４＞α３）だけ移動させた位置を確認ダイアログ１５の表示位置としても良い。これにより、重要な処理においてのみ放射線技師の注意を促し、確認ダイアログ１５の誤操作を防止できる。
【００８４】
図１２は、本実施形態に係る放射線画像撮影システム１の確認ダイアログ１５の表示位置の別例を示す画面図である。表示パネル７４Ａの面積に対して指の接触範囲が広く、接触位置１９と確認ダイアログ１５とが重なってしまう場合には、図１２に示すように、確認ダイアログ１５が表示パネル７４Ａの表示領域内にとなりかつ確認ダイアログ１５の「はい」ボタン１６が接触位置１９に対して最も離れた位置に表示されるようにすると良い。
【００８５】
なお、上記撮影処理では、放射線技師が表示入力部７４により操作入力を行う場合を例に挙げて説明したが、これに限定されない。例えば、放射線技師がマウスを移動させることによりマウスカーソル２０を移動させて操作入力を行う場合においても、上記撮影処理を適用することができる。
【００８６】
図１３は、本実施形態に係る放射線画像撮影システム１の確認ダイアログ１５の表示位置の別例を示す画面図である。図１３に示すように、放射線技師がマウスにより操作入力を行う場合にも、直前のマウスカーソル２０の位置に対して、表示パネル７４Ａの面内において重力方向Ｇに対する垂直方向の位置を異ならせた位置で、かつ移動方向に対する垂直方向の位置を異ならせた位置に確認ダイアログ１５が表示される。
【００８７】
また、例えば、放射線技師が操作スイッチ群を押下（あるいはオン／オフ切替）することにより操作入力を行う場合においても、上記撮影処理を適用することができる。
【００８８】
図１４（Ａ）及び（Ｂ）は、本実施形態に係る放射線画像撮影システム１の確認ダイアログ１５の表示位置の別例を示す画面遷移図である。図１４（Ａ）及び（Ｂ）に示すように、「ｓ１」乃至「ｓ１６」のスイッチ２１を有する操作パネル２２において、放射線技師が何れかのスイッチ２１を選択することにより操作入力を行う場合にも、上記撮影処理を適用することができる。
【００８９】
図１４（Ａ）に示すように、放射線技師により例えば「ｓ４」のスイッチ２１が選択された場合、「ｓ４」のスイッチ２１の位置に対して、操作パネル２２の面内において重力方向Ｇに対する垂直方向の位置を異ならせた位置で、かつ移動方向に対する垂直方向の位置を異ならせた位置にあるスイッチ２１が確認のための入力のためのスイッチ２１として使用される。図１４（Ｂ）に示すように、例えば「ｓ１３」のスイッチ２１が「はい」ボタン、「ｓ１４」のスイッチ２１が「いいえ」ボタンとして使用される。
【００９０】
また、確認ダイアログ１５の表示位置は、接触位置１９を通る重力方向Ｇから当該重力方向Ｇと交差する方向に所定距離離れた位置、かつ接触位置１９を通る移動方向Ｍから当該移動方向Ｍと交差する方向に所定距離離れた位置であれば、ランダムな位置に表示されるようにしても良い。
【００９１】
また、ステップＳ１０５における検査の選択の入力操作が、他の入力操作が行われた後に引き続き行われた入力操作である場合、当該他の入力操作が行われた位置から前記第１の入力操作が行われた位置への移動経路に基づいて、確認ダイアログ１５の表示位置を導出しても良い。例えば、上記移動経路から予測される今後の移動経路と重ならない位置に、確認ダイアログ１５を表示させるようにしても良い。
【符号の説明】
【００９２】
１…放射線画像撮影システム，２…コンソール，３…放射線発生装置，４…電子カセッテ，１４…検査ボタン，１５…確認ダイアログ，１６…「はい」ボタン，１７…「いいえ」ボタン，１９…接触位置，２０…マウスカーソル，２１…スイッチ，２２…操作パネル，７０…携帯端末装置，７４…表示入力部，７４Ａ…表示パネル，７４Ｂ…操作パネル，９４…モーションセンサ部，９８…主制御部。
【図１】
2013210863.tif 000003
【図２】
2013210863.tif 000004
【図３】
2013210863.tif 000005
【図４】
2013210863.tif 000006
【図５】
2013210863.tif 000007
【図６】
2013210863.tif 000008
【図７】
2013210863.tif 000009
【図８】
2013210863.tif 000010
【図９】
2013210863.tif 000011
【図１０】
2013210863.tif 000012
【図１１】
2013210863.tif 000013
【図１２】
2013210863.tif 000014
【図１３】
2013210863.tif 000015
【図１４】
2013210863.tif 000016